(57)【要約】【課題】車両の周囲の安全性及び運転者の運転に対する余裕度に基づいて、表示制御を最適化する情報制御装置を提供する。【解決手段】本発明の一実施形態に係る情報制御装置１は、車両に関する情報を取得する車両情報取得部１０と、運転者に関する情報を取得する運転者情報取得部２０と、車両に関する情報及び運転者に関する情報に基づいて、車両の周囲の安全性及び運転者の運転に対する余裕度を予測し、安全性及び余裕度に基づいて表示情報を制御する制御部４０と、を備えることを特徴とする。【選択図】図１
2018195139.tif 000002
【特許請求の範囲】
【請求項１】
車両に関する情報を取得する車両情報取得部と、
運転者に関する情報を取得する運転者情報取得部と、
前記車両に関する情報及び前記運転者に関する情報に基づいて、前記車両の周囲の安全性及び前記運転者の運転に対する余裕度を予測し、前記安全性及び前記余裕度に基づいて表示情報を制御する制御部と、
を備えることを特徴とする情報制御装置。
【請求項２】
前記運転者情報取得部は、運転者の操作に関する情報を取得し、かつ、前記車両情報取得部により取得された前記車両に関する情報に基づいて当該運転者の操作意図に関する情報を取得する、
請求項１に記載の情報制御装置。
【請求項３】
前記制御部は、運転者による運転行動のＶＡＣＰ値を算出することによって前記余裕度を予測する、
請求項１又は２に記載の情報制御装置。
【請求項４】
前記制御部は、前記表示情報の種類に基づいて表示位置を定める、
請求項１乃至３のいずれか１項に記載の情報制御装置。
【請求項５】
前記制御部は、所定の発信者によって送信された前記表示情報について、情報の表示位置を前記発信者毎に変更する、
請求項４に記載の情報制御装置。
【請求項６】
前記制御部は、前記表示情報の情報量に基づいて表示位置を制御する、
請求項１乃至５のいずれか１項に記載の情報制御装置。
【請求項７】
前記情報量は、文字数、単語数、文節、アイコン及び図の数、又は図示での注目点の数から定義されるチャンク数により決定される、
請求項６に記載の情報制御装置。
【請求項８】
前記制御部は、車両の計画経路と前記安全性とによって判断される予測表示可能時間に基づいて、前記表示情報の表示位置及び情報量の少なくとも一方を制御する、
請求項１乃至７のいずれか１項に記載の情報制御装置。
【請求項９】
前記制御部は、前記表示情報の要約及び抽出の少なくとも一方により前記情報量を削減する、
請求項８に記載の情報制御装置。
【請求項１０】
前記表示情報を表示する表示部をさらに備え、
前記制御部は、前記表示部の種類又は位置に基づいて前記表示情報の情報量に制限を設け、当該制限に基づいて前記情報量を削減する、
請求項１乃至９のいずれか１項に記載の情報制御装置。
【請求項１１】
前記制御部は、前記余裕度に基づいて前記表示情報を制御する場合、前記表示情報の情報量よりも表示位置を優先して変更する、
請求項１乃至１０のいずれか１項に記載の情報制御装置。
【発明の詳細な説明】
【技術分野】
【０００１】
本発明は、車両に搭載される情報制御装置に関する。
【背景技術】
【０００２】
従来、車両に搭載されたカーナビゲーション装置に様々な情報が表示されることで、運転者などは、必要な情報を得ることができる。
【０００３】
特許文献１に開示された車載用ナビゲーション装置は、車両の速度、車両が走行している道路の種別、施設の使用頻度などの車両の走行条件に応じて表示されるロゴマークを見やすく変化させる。
【先行技術文献】
【特許文献】
【０００４】
【特許文献１】特許第４３７６２９５号
【発明の概要】
【発明が解決しようとする課題】
【０００５】
一般的に、車両に搭載された所定のモニターは、走行中であれば、運転に直接関係がない情報を表示することはできない。一方で、車両に搭載された所定のモニターは、車両が完全に停止している場合、車両の周辺状況に依らず、任意の情報を表示できる。しかしながら、車両周辺の環境及び運転者自身の状態を考慮した場合、このような表示制御が必ずしも最適であるとは限らない。
【０００６】
上記のような課題に鑑みてなされた本発明の目的は、車両の周囲の安全性及び運転者の運転に対する余裕度に基づいて、表示制御を最適化する情報制御装置を提供することにある。
【課題を解決するための手段】
【０００７】
上記課題を解決するために、本発明の一実施形態に係る情報制御装置は、
車両に関する情報を取得する車両情報取得部と、
運転者に関する情報を取得する運転者情報取得部と、
前記車両に関する情報及び前記運転者に関する情報に基づいて、前記車両の周囲の安全性及び前記運転者の運転に対する余裕度を予測し、前記安全性及び前記余裕度に基づいて表示情報を制御する制御部と、
を備えることを特徴とする。
【発明の効果】
【０００８】
本発明の一実施形態によれば、車両の周囲の安全性及び運転者の運転に対する余裕度に基づいて、表示制御を最適化する情報制御装置を提供できる。
【図面の簡単な説明】
【０００９】
【図１】一実施形態に係る情報制御装置を示すブロック図である。
【図２】図１の表示部の構成を示した模式図である。
【図３】図１の制御部が行う表示情報の制御の第１の例を示す模式図である。
【図４】図１の制御部が行う表示情報の制御の第２の例を示す模式図である。
【図５】図１の制御部が行う表示情報の制御の第３の例を示す模式図である。
【図６】図１の制御部が行う表示情報の制御の第４の例を示す模式図である。
【図７】図１の制御部が行う表示情報の制御の第５の例を示す模式図である。
【図８（ａ）】図１の制御部が行う表示情報の制御を示す第１のフローチャートである。
【図８（ｂ）】図１の制御部が行う表示情報の制御を示す第２のフローチャートである。
【図９】図１の制御部が行う情報提供の制御の一例を示すフローチャートである。
【発明を実施するための形態】
【００１０】
以下、図面を参照して、本発明の一実施形態について説明する。
【００１１】
（安全性及び余裕度に基づく表示情報制御）
一実施形態に係る情報制御装置１は、車両に関する情報及び運転者に関する情報に基づいて、車両の周囲の安全性及び運転者の運転に対する余裕度を予測する。情報制御装置１は、安全性及び余裕度に基づいて表示情報を制御する。初めに、情報制御装置１が行う表示情報の制御について詳細に説明する。
【００１２】
図１は、一実施形態に係る情報制御装置１を示すブロック図である。図２は、図１の表示部５０の構成を示した模式図である。情報制御装置１は、車両情報取得部１０及び運転者情報取得部２０により構成される情報取得部と、記憶部３０と、制御部４０と、表示部５０とを有する。
【００１３】
車両情報取得部１０は、周囲情報取得部１１と自車位置取得部１２とを有する。車両情報取得部１０は、周囲情報取得部１１及び自車位置取得部１２によって車両に関する情報を取得する。車両に関する情報は、以下に説明するように、車両周辺の環境情報及び自車の現在位置を含む。
【００１４】
車両情報取得部１０は、この他にも、種々の車両に関する情報を取得する。車両情報取得部１０は、例えば、車載ネットワークにおける１つの通信方式であるコントローラエリアネットワーク（ＣＡＮ）を用いて、種々の車両状況に関する情報を取得してもよい。例えば、車両情報取得部１０は、車両の速度、アクセル状態、ブレーキ状態、クラッチ状態、ウィンカ状態、ギア状態、ワイパー状態、ドアミラー状態、シート状態、オーディオ状態、ワーニング状態、ライト状態、ステアリング状態、アイドル状態、エアコン状態、シートベルト状態、運転操作レベルなどの車両状況に関する情報を取得してもよい。
【００１５】
周囲情報取得部１１は、カメラ、ライダー（ＬｉＤＡＲ：Light Detection And Ranging）、レーダーなどの適宜なセンサによって構成される。例えば、周囲情報取得部１１は、先進運転支援システム（ＡＤＡＳ）を構成する適宜なセンサを含んでもよい。周囲情報取得部１１は、車車間及び路車間通信（Ｖ２Ｘ）を行うための適宜な通信装置を含んでもよい。周囲情報取得部１１は、交通参加者の特徴、位置、移動速度などの交通参加者状況、路面の状態、道路の白線との間隔、道路種別、車線数などの道路状況、信号状況などを検出して、車両周辺の環境情報を取得する。周囲情報取得部１１は、前方車両状況、後方車両状況、並走車両状況及び交差車両状況の少なくとも１つに関する情報を取得してもよい。その他にも、周囲情報取得部１１は、外部ネットワークとの通信状態に関する情報、周辺上空移動体状況に関する情報、外部サーバ情報、ＰＯＩ（Point Of Interest）情報などの車両周辺の環境情報を取得してもよい。
【００１６】
自車位置取得部１２は、ナビゲーションシステムなどによって構成される。自車位置取得部１２は、車両の緯度、経度、高度、斜度、車線位置などによって示される自車の現在位置を算出する。また、自車位置取得部１２は、自車の現在位置における温度、湿度、天候、明るさ、透明度などの自車位置状況に関する情報を取得してもよい。
【００１７】
運転者情報取得部２０は、カメラ、ウェアラブルセンサなどの適宜なセンサ、制御ＣＡＮなどによって構成される。運転者情報取得部２０は、運転者に関する情報を取得する。例えば、運転者情報取得部２０は、運転者の操作に関する情報を取得する。特に、運転者情報取得部２０は、運転者の運転操作を検出する。加えて、運転者情報取得部２０は、周囲情報取得部１１及び自車位置取得部１２によって取得された車両に関する情報と、記憶部３０などに格納されている操作意図モデルとに基づいて、運転者の操作意図に関する情報を取得する。特に、運転者情報取得部２０は、運転者の運転操作意図を検出する。
【００１８】
例えば、運転者情報取得部２０は、運転者のアクセル操作、ブレーキ操作、クラッチ操作、ウィンカ操作、ギア操作、ワイパー操作、ドアミラー操作、シート操作、オーディオ操作、ライト操作、ステアリング操作、エアコン操作、シートベルト操作、などの運転者の操作に関する情報を取得する。
【００１９】
運転者情報取得部２０は、その他の運転者の状態に関する情報を取得してもよい。例えば、運転者情報取得部２０は、運転者の生体状態、顔向き、視線、瞬き状態、胎動、わくわく度、感動度、楽しさ、満足度、感情、要求内容、運転（乗車）継続時間、見やすさ（まぶしさ）、聞きやすさ、発話内容などの運転者の状態に関する情報を取得してもよい。ここで、運転者の生体状態とは、覚醒度、脳波、脳血流、血圧、血糖値、血中アミノ酸、ＨｂＡ１ｃ、γ−ＧＰＴ、常備薬血中濃度、心拍、体温、体感温度、空腹感、疲れなどを含んでもよい。なお、運転者情報取得部２０は、運転者に関してこれらの情報を取得するものとして説明したが、これに限定されない。運転者情報取得部２０は、同乗者に関して同様の情報を取得してもよい。
【００２０】
車両情報取得部１０及び運転者情報取得部２０により構成される情報取得部によって取得された上記の情報は、記憶部３０及び制御部４０に出力される。
【００２１】
記憶部３０は、半導体メモリ又は磁気メモリなどで構成することができる。記憶部３０は、上述した各種情報及び情報制御装置１を動作させるためのプログラムなどを記憶する。記憶部３０は、ワークメモリとしても機能する。
【００２２】
制御部４０は、情報制御装置１の各機能ブロックをはじめとして、情報制御装置１の全体を制御及び管理するプロセッサである。制御部４０は、制御手順を規定したプログラムを実行するＣＰＵ（Central Processing Unit）などのプロセッサで構成される。このようなプログラムは、例えば記憶部３０に格納される。
【００２３】
制御部４０は、車両情報取得部１０によって取得された車両に関する情報及び運転者情報取得部２０によって取得された運転者に関する情報と、記憶部３０などに格納されている安全予測モデルとに基づいて、車両の周囲の安全性を予測する。
【００２４】
同様に、制御部４０は、車両情報取得部１０によって取得された車両に関する情報及び運転者情報取得部２０によって取得された運転者に関する情報に基づいて、運転者の運転に対する余裕度を予測する。例えば、制御部４０は、運転者などによって予め設定された計画経路に基づいて、当該計画経路に沿った運転者の運転に対する余裕度を予測する。制御部４０は、このような余裕度の予測に加えて、車両情報取得部１０によって取得された車両に関する情報を用いて、計画経路を設定したときに予測された余裕度を、実際の状況に従ってリアルタイムに補正してもよい。また、制御部４０は、運転者情報取得部２０によって取得された運転者に関する情報に基づいて、予測された余裕度を、運転者の状態に従ってリアルタイムに補正してもよい。
【００２５】
安全性及び余裕度の予測において使用する車両に関する情報及び運転者に関する情報は、それぞれ、車両情報取得部１０及び運転者情報取得部２０によって取得される上記の種々の情報のうち少なくとも１つを含む。
【００２６】
制御部４０は、予測した安全性及び余裕度に基づいて、表示部５０に出力する表示情報を制御する。例えば、制御部４０は、安全性が確保される状況下で、運転者の余裕度に応じて、表示情報の表示位置及び情報量の少なくとも一方を制御する。制御部４０は、制御された表示情報を表示部５０に出力する。
【００２７】
図１に示すとおり、表示情報の種別、すなわち、表示コンテンツは、様々である。例えば、表示コンテンツは、自車情報、周囲情報、車外情報、内蔵記録情報及び通信端末経由情報に大きく分類される。自車情報は、例えば、車速、燃料残量及びタイヤ空気圧に関する情報を含む。周囲情報は、周囲情報取得部１１を構成するセンサによってセンシングされた車両周辺の環境情報を含む。例えば、周囲情報は、制限速度及びその他の標識に関する情報を含む。車外情報は、周囲情報以外の車両外部の情報を含む。例えば、車外情報は、地図情報、インフラストラクチャ情報、交通情報、ＰＯＩ情報などの外部のオープン情報を含む。内蔵記録情報は、自車情報、周囲情報及び車外情報のいずれにも該当しない、記憶部３０などに格納されたローカル情報を含む。通信端末経由情報は、車載又は個人の通信端末を経由して入手される情報又はその履歴を含む。例えば、通信端末経由情報は、緊急災害速報、号外、メール、ＳＮＳ（Social Networking Service）、ニュース、天気などの情報を含む。
【００２８】
表示部５０は、制御部４０から出力された表示情報を表示する。すなわち、表示部５０は、上記の各種表示コンテンツを表示する。表示部５０は、少なくとも１つの画面を有する。表示部５０は、液晶ディスプレイなどの任意の表示装置により構成されてもよい。表示部５０は、液晶ディスプレイによって構成される場合、例えばインストルメントパネルに配置される。表示部５０を構成する表示装置は、タッチパネルディスプレイであってもよいし、タッチ操作不能のディスプレイであってもよい。表示部５０は、インストルメントパネルに配置されるメーター表示器を有してもよい。表示部５０は、いわゆるヘッドアップディスプレイ（ＨＵＤ：Head-Up Display）型の装置を有してもよい。この場合、ＨＵＤ型の装置は、表示情報を表示光として発生する発光部を有し、発生した表示光を運転者などの観察者へ向かうように反射して、フロントウィンドシールド越しに虚像を表示する。観察者は運転者に限らず助手席に座っている同乗者などでもよい。
【００２９】
図２に示すとおり、以下では、一例として、表示部５０は、３つの画面により構成されるものとして説明する。具体的には、表示部５０は、ＨＵＤ５１、メーター表示器５２及びセンター表示器５３により構成されるものとして説明する。
【００３０】
以下では、図３乃至図８（ｂ）を用いて、制御部４０が行う表示情報の制御について詳細に説明する。
【００３１】
図３は、図１の制御部４０が行う表示情報の制御の第１の例を示す模式図である。
【００３２】
制御部４０は、表示情報の種類に基づいて表示位置を定める。例えば、制御部４０は、３つの画面、ＨＵＤ５１、メーター表示器５２及びセンター表示器５３をそれぞれＡ列、Ｂ列及びＣ列に対応させる。制御部４０は、表示情報の緊急性と重大性とに鑑みて、表示情報をその種類毎にＡ列、Ｂ列及びＣ列のいずれかに振り分ける。一例として、制御部４０は、緊急性又は重大性が大きい表示情報をＡ列に振り分ける。制御部４０は、緊急性又は重大性が小さい表示情報をＣ列に振り分ける。制御部４０は、Ａ列及びＣ列のいずれにも該当しない、緊急性又は重大性が並み程度の表示情報をＢ列に振り分ける。
【００３３】
例えば、制御部４０は、緊急性又は重大性が大きい、車速、燃料残量、制限速度、緊急災害速報及び号外に関する情報については、Ａ列に対応させて、ＨＵＤ５１に表示されるように振り分ける。同様に、制御部４０は、緊急性又は重大性が小さい、メール、ＳＮＳ、ニュース、ＰＯＩ及び天気に関する情報については、Ｃ列に対応させて、センター表示器５３（ＣＴＲ）に表示されるように振り分ける。また、制御部４０は、緊急性又は重大性が並み程度の、タイヤ空気圧及び標識に関する情報については、Ｂ列に対応させて、メーター表示器５２（Ｍｅｔｅｒ）に表示されるように振り分ける。
【００３４】
なお、制御部４０は、所定の発信者によって送信された表示情報について、情報の表示位置を発信者毎に変更してもよい。すなわち、制御部４０は、メール又はＳＮＳのように発信者が複数登録されている場合、発信者毎にＨＵＤ５１、メーター表示器５２及びセンター表示器５３のいずれかに表示情報を登録し直してもよい。また、制御部４０は、特に緊急性の高い緊急災害速報については、他の表示情報とは予め区別して振り分けてもよい。例えば、制御部４０は、緊急災害速報については、ＨＵＤ５１への振り分けのみならず、メーター表示器５２及びセンター表示器５３へも同時に振り分けてもよい。
【００３５】
制御部４０は、さらに、表示情報の情報量に基づいて、各列において表示情報を３行のいずれかに振り分ける。一例として、制御部４０は、情報量が多い表示情報を１行に振り分ける。制御部４０は、情報量が少ない表示情報を３行に振り分ける。制御部４０は、１行及び３行のいずれにも該当しない、情報量が並み程度の表示情報を２行に振り分ける。
【００３６】
ここで、制御部４０は、表示情報の情報量を、文字数、単語数、文節、アイコン及び図の数、又は図示での注目点の数から定義されるチャンク数により決定するのが好適である。制御部４０は、これに限定されず、客観的に計測可能であれば、任意の方法により表示情報の情報量を決定してもよい。
【００３７】
制御部４０は、決定した情報量から、運転者による表示情報の視認時間を算出する。なお、視認時間は、表示部５０の種類にも依存する。例えば、ＨＵＤ５１は、運転者の眼前に位置し、車両の移動先に集中している運転者の視線と重畳する。したがって、ＨＵＤ５１に関して、視認時間は比較的短くなる。一方で、センター表示器５３は、比較的多くの情報を表示可能であり、また、センター表示器５３に関して、運転者は、視線を移動させる必要がある。したがって、センター表示器５３に関して、視認時間は比較的長くなる。このように、ＨＵＤ５１、メーター表示器５２及びセンター表示器５３にそれぞれ対応したＡ列、Ｂ列及びＣ列は、視認時間にも対応する。すなわち、Ａ列からＣ列に向かうほど、視認時間は長くなる。
【００３８】
上記では、制御部４０は、緊急性と重大性とに鑑みて、表示情報を列毎に振り分けたがこれに限定されない。制御部４０は、表示情報の情報量に基づいて表示位置を定めてもよい。一例として、制御部４０は、情報量が少なく、視認時間が短い表示情報をＡ列に振り分ける。制御部４０は、情報量が多く、視認時間が長い表示情報をＣ列に振り分ける。制御部４０は、Ａ列及びＣ列のいずれにも該当しない、情報量が並み程度の表示情報をＢ列に振り分ける。一例として、制御部４０は、他人から送信されてくるメールのような、予め定められた形式による表示コンテンツ以外のコンテンツにおいて、上記のチャンク数により情報量を決定し、当該情報量に基づいてＡ列乃至Ｃ列のいずれかに振り分けてもよい。
【００３９】
図４は、図１の制御部４０が行う表示情報の制御の第２の例を示す模式図である。図５は、図１の制御部４０が行う表示情報の制御の第３の例を示す模式図である。図６は、図１の制御部４０が行う表示情報の制御の第４の例を示す模式図である。制御部４０は、車両の計画経路と予測された安全性とによって判断される予測表示可能時間に基づいて、表示情報の表示位置及び情報量の少なくとも一方を制御する。予測表示可能時間は、例えば、車両が進入する交差点までの距離と車両の車速とに基づいて算出された、交差点に進入するまでの安全に情報を表示できる時間であってもよい。
【００４０】
例えば、制御部４０は、計画経路と安全性とによって判断される予測表示可能時間と、Ａ列、Ｂ列及びＣ列とを対応付ける。一例として、制御部４０は、予測表示可能時間が少ない場合Ａ列を対応付けし、予測表示可能時間が多い場合Ｃ列を対応付けする。
【００４１】
図４に示すとおり、一例として、制御部４０が予測表示可能時間をＢ列と対応付けし、Ｃ列２行に振り分けられた表示情報の制御を行う場合を考える。このとき、Ｃ列２行にある表示情報の視認時間は、Ｂ列に対応付けられた予測表示可能時間よりも長い。このような場合、制御部４０は、Ｃ列２行にある表示情報を、Ｂ列２行に移動させる。すなわち、制御部４０は、視認時間が予測表示可能時間と同等以下になるよう、より視認時間の短い表示部５０を選択し直す。制御部４０は、Ｃ列１行及びＣ列３行に振り分けられた表示情報についても、上記と同様の制御を行う。なお、制御部４０は、視認時間が予測表示可能時間よりも短いＡ列に振り分けられた表示情報については、何の変更もしない。
【００４２】
図５に示すとおり、一例として、制御部４０が予測表示可能時間をＡ列と対応付けし、Ｂ列２行に振り分けられた表示情報の制御を行う場合を考える。このとき、Ｂ列２行にある表示情報の視認時間は、Ａ列に対応付けられた予測表示可能時間よりも長い。このような場合、制御部４０は、Ｂ列２行にある表示情報を、Ａ列２行に移動させる。すなわち、制御部４０は、視認時間が予測表示可能時間と同等以下になるよう、より視認時間の短い表示部５０を選択し直す。制御部４０は、Ｂ列１行及びＢ列３行に振り分けられた表示情報についても、上記と同様の制御を行う。同様に、制御部４０は、Ｃ列に振り分けられた表示情報についても、同じ行のＡ列に移動させる。
【００４３】
制御部４０は、表示部５０の種類又は位置に基づいて表示情報の情報量に制限を設け、当該制限に基づいて情報量を削減してもよい。例えば、図６に示すとおり、制御部４０は、視認時間と予測表示可能時間との比較によって表示情報がＡ列１行又はＡ列２行に移動した場合、当該表示情報の情報量を最も少ないＡ列３行に再度移動させる。すなわち、制御部４０は、当該表示情報の情報量を削減する。一例として、制御部４０は、表示情報の要約及び抽出の少なくとも一方により情報量を削減してもよい。ＨＵＤ５１では、背景と重畳させて情報を表示するため、文字数が多くなりすぎると情報欠損が起こる恐れがある。したがって、制御部４０は、特にＡ列について上記のような情報量の削減を行うのが好適である。制御部４０は、これに限定されず、Ｂ列及びＣ列についても表示情報の情報量に所定の制限を設けて、当該制限に基づいて情報量を削減してもよい。
【００４４】
図７は、図１の制御部４０が行う表示情報の制御の第５の例を示す模式図である。
【００４５】
制御部４０は、予測された運転者の運転に対する余裕度に基づいて表示情報の表示位置及び情報量を制御する。より具体的には、図７に示すとおり、制御部４０は、予測された運転者の余裕度を５段階に分類して、それぞれを行列の斜めに沿ったマス目と対応させる。制御部４０は、余裕度が低い場合、Ａ列３行を余裕度と対応付ける。制御部４０は、余裕度がやや低い場合、Ｂ列３行を余裕度と対応付ける。制御部４０は、余裕度が並みの場合、Ｂ列２行及びＣ列３行を余裕度と対応付ける。制御部４０は、余裕度がやや高い場合、Ｂ列１行及びＣ列２行を余裕度と対応付ける。制御部４０は、余裕度が高い場合、Ｃ列１行を余裕度と対応付ける。
【００４６】
一例として、視認時間と予測表示可能時間との比較によって表示情報がＢ列２行に移動し、余裕度がやや低い場合を考える。表示情報は、運転者の分類された余裕度よりも１段階高い行列位置に移動している。したがって、制御部４０は、当該表示情報の情報量を削減して、Ｂ列３行に移動させる。
【００４７】
一方で、表示情報がＣ列１行に振り分けされ、余裕度がやや低い場合を考える。表示情報は、運転者の分類された余裕度よりも３段階高い行列位置に振り分けられている。したがって、制御部４０は、初めに表示情報の表示位置をより視認時間の短いメーター表示器５２へと変更する。すなわち、制御部４０は、Ｃ列１行からＢ列１行へと表示情報を移動させる。その後、制御部４０は、Ｂ列内において、表示情報の情報量を削減して、やや低い余裕度に対応するＢ列３行に表示情報を移動させる。
【００４８】
なお、制御部４０は、表示情報が分類された余裕度以下に対応する行列位置にある場合は、何の制御も行わない。
【００４９】
このように、制御部４０は、予測された余裕度に対応する行列位置に向けて表示情報を移動させる場合、表示情報の情報量よりも表示位置を優先して変更する。情報量を維持する場合の方が表示位置を変更する場合と比べて表示情報としての価値は依然高いと考えられるので、制御部４０は、情報量の削減を極力回避する。すなわち、制御部４０は、Ｃ列に振り分けられた表示情報をＢ列に移す。さらに、制御部４０は、Ｂ列３行に移動した表示情報をＡ列３行に移す。一方で、Ｂ列１行及びＢ列２行に移動した表示情報については、制御部４０は、情報量を削減することでＢ列内における行を下げる制御を行う。Ａ列１行及びＡ列２行は、ＨＵＤ５１の情報量の制限から余裕度に対応付けられていないためである。
【００５０】
制御部４０は、以上のような制御によって、最終的に表示情報の表示位置（列）及び情報量（行）を定める。制御部４０は、定められた表示位置及び情報量に基づいて、表示部５０に表示情報を出力する。表示部５０は、当該表示情報を表示する。
【００５１】
図８（ａ）は、図１の制御部４０が行う表示情報の制御を示す第１のフローチャートである。図８（ｂ）は、図１の制御部４０が行う表示情報の制御を示す第２のフローチャートである。
【００５２】
制御部４０は、予測された安全性及び余裕度に基づいて、表示部５０に対して一定の表示が可能であるか否かを判定する（ステップＳ１０１）。制御部４０は、表示不可能であると判定した場合、再度ステップＳ１０１に戻る。制御部４０は、表示可能であると判定した場合、ステップＳ１０２に進む。
【００５３】
制御部４０は、表示部５０に表示すべき情報があるか否かを判定する（ステップＳ１０２）。制御部４０は、表示情報がないと判定した場合、再度ステップＳ１０１に戻る。制御部４０は、表示情報があると判定した場合、ステップＳ１０３に進む。このとき、制御部４０は、表示部５０に表示すべき任意の情報を取得する。例えば、制御部４０は、通信端末経由情報の１つであるＳＮＳ情報を取得する。
【００５４】
制御部４０は、取得した表示情報の種類を分類する（ステップＳ１０３）。制御部４０は、緊急性と重大性とに応じて、所定の表示情報をＡ列、Ｂ列及びＣ列にそれぞれ振り分ける（ステップＳ１０４、Ｓ１０５及びＳ１０６）。
【００５５】
制御部４０は、表示情報の情報量を分類する（ステップＳ１０７）。制御部４０は、情報量に応じて、所定の表示情報を「少ない（３行）」、「並み程度（２行）」及び「多い（１行）」にそれぞれ振り分ける（ステップＳ１０８、Ｓ１０９及びＳ１１０）。
【００５６】
制御部４０は、表示情報の情報量及び表示位置から運転者の視認時間を導出する（ステップＳ１１１）。
【００５７】
制御部４０は、導出した視認時間と予測表示可能時間とを比較して、視認時間が予測表示可能時間よりも大きいか否かを判定する（ステップＳ１１２）。制御部４０は、視認時間が予測表示可能時間よりも大きいと判定すると、ステップＳ１１３に進む。制御部４０は、視認時間が予測表示可能時間以下であると判定すると、ステップＳ１１４に進む。
【００５８】
制御部４０は、視認時間が予測表示可能時間よりも大きい場合、予測表示可能時間に対応する列にまで表示情報を移動させる（ステップＳ１１３）。
【００５９】
制御部４０は、表示情報がＡ列１行又はＡ列２行にあるか否かを判定する（ステップＳ１１４）。制御部４０は、表示情報がＡ列１行又はＡ列２行にあると判定すると、ステップＳ１１５に進む。制御部４０は、表示情報がＡ列１行又はＡ列２行にないと判定すると、ステップＳ１１６に進む。
【００６０】
制御部４０は、表示情報がＡ列１行又はＡ列２行にある場合、Ａ列３行まで表示情報を移動させる（ステップＳ１１５）。
【００６１】
制御部４０は、予測された運転者の運転に対する余裕度を分類する（ステップＳ１１６）。制御部４０は、余裕度を、「低い」、「やや低い」、「並み」、「やや高い」及び「高い」の５段階に分類する（ステップＳ１１７、Ｓ１１８、Ｓ１１９、Ｓ１２０及びＳ１２１）。
【００６２】
制御部４０は、行列を斜めから５段階に見て、分類された余裕度と表示情報とを対比させる（ステップＳ１２２）。
【００６３】
制御部４０は、対比された表示情報が分類された余裕度よりも大きい行列位置にあるか否かを判定する（ステップＳ１２３）。制御部４０は、分類された余裕度よりも大きい行列位置にあると判定した場合、ステップＳ１２４に進む。制御部４０は、分類された余裕度以下の行列位置にあると判定した場合、ステップＳ１２７に進む。
【００６４】
制御部４０は、分類された余裕度よりも大きい行列位置にある場合、対応する位置まで列を左に移動させる（ステップＳ１２４）。
【００６５】
制御部４０は、移動後にＢ列１行又はＢ列２行にあるか否かを判定する（ステップＳ１２５）。制御部４０は、Ｂ列１行又はＢ列２行にあると判定した場合、ステップＳ１２６に進む。制御部４０は、Ｂ列１行又はＢ列２行にないと判定した場合、ステップＳ１２７に進む。
【００６６】
制御部４０は、Ｂ列１行又はＢ列２行にある場合、分類された余裕度に対応する行列位置にまで移動するようにＢ列に沿って情報量を削減する（ステップＳ１２６）。
【００６７】
制御部４０は、移動後の列の位置を判定する（ステップＳ１２７）。制御部４０は、移動後の列がＡ列の場合、適切な情報量でＨＵＤ５１に表示情報を表示する（ステップＳ１２８）。制御部４０は、移動後の列がＢ列の場合、適切な情報量でメーター表示器５２に表示情報を表示する（ステップＳ１２９）。制御部４０は、移動後の列がＣ列の場合、適切な情報量でセンター表示器５３に表示情報を表示する（ステップＳ１３０）。
【００６８】
（余裕度の予測と情報提供可否判断）
以下では、情報制御装置１が行う余裕度の予測と、それに基づく情報提供の可否判断について詳細に説明する。
【００６９】
余裕度の具体的な予測方法としては、ＶＡＣＰを車両の運転に適用することが考えられる。ＶＡＣＰとは、人間の行動を、視覚（Ｖ：Visual）、聴覚（Ａ：Auditory）、認識（Ｃ：Cognitive）及び精神（Ｐ：Psychomotor）の４つの要素に分け、消費される認知資源の量に応じて１．０から７．０までの数値で表す手法である。４つの要素の数値の合計が負荷量となる。消費される認知資源の量は、一対比較法の調査によって定義されている。これに基づいて、車両の運転操作に関するＶＡＣＰ値が見積もられる。これを参考に、運転者による運転行動のＶＡＣＰ値を算出することで、制御部４０は、運転者の運転に対する余裕度を客観的に予測できる。制御部４０は、ＶＡＣＰ値が低いと運転者の運転に対する余裕度が高いと予測し、ＶＡＣＰ値が高いと運転者の運転に対する余裕度が低いと予測する。
【００７０】
図９は、図１の制御部４０が行う情報提供の制御の一例を示すフローチャートである。図９を用いて、余裕度の予測に基づく制御部４０による情報提供の可否判断について例示的に説明する。図９に示すフローは、図８（ａ）に示すステップＳ１０１をより詳細に説明したものである。
【００７１】
初めに、運転者などは、例えばカーナビゲーションシステムを利用して、目的地及び当該目的地までの計画経路を設定する。制御部４０は、カーナビゲーションステムを通じて、目的地及び計画経路情報を取得する（ステップＳ２０１）。
【００７２】
制御部４０は、現在の運転者に関するＶＡＣＰプロファイルが記憶部３０に個別に記憶されているか否かを判定する（ステップＳ２０２）。制御部４０は、現在の運転者に関するＶＡＣＰプロファイルが記憶されていると判定した場合、ステップＳ２０３に進む。制御部４０は、現在の運転者に関するＶＡＣＰプロファイルが記憶されていないと判定した場合、ステップＳ２０４に進む。
【００７３】
制御部４０は、ステップＳ２０２において現在の運転者に関するＶＡＣＰプロファイルが記憶されていると判定した場合、記憶部３０に記憶されている現在の運転者本人のＶＡＣＰプロファイルを読み出す（ステップＳ２０３）。
【００７４】
制御部４０は、ＶＡＣＰ値を算出することで、運転者の余裕度を予測する（ステップＳ２０４）。具体的には、記憶部３０が現在の運転者に関するＶＡＣＰプロファイルを記憶している場合、制御部４０は、計画経路に沿って算出された目的地までの運転者のＶＡＣＰ値を、当該ＶＡＣＰプロファイルに基づいて運転者ごとに補正する。記憶部３０が現在の運転者に関するＶＡＣＰプロファイルを記憶していない場合、制御部４０は、計画経路に沿って算出した目的地までの運転者のＶＡＣＰ値により直接余裕度を予測してもよい。
【００７５】
制御部４０は、算出したＶＡＣＰ値、すなわち予測した運転者の余裕度に関する情報を記憶部３０に格納する（ステップＳ２０５）。
【００７６】
制御部４０は、車両が走行を開始したら、車両情報取得部１０及び運転者情報取得部２０より、上述した種々の情報の取得を開始する（ステップＳ２０６）。
【００７７】
制御部４０は、現時点における運転者の余裕度が高いか否かを判定する（ステップＳ２０７）。すなわち、制御部４０は、現時点における運転者の余裕度に基づいて、表示部５０を介して運転者に情報提供可能であるか否かを判定する。このとき、制御部４０は、ステップＳ２０４において算出した運転者のＶＡＣＰ値を、車両情報取得部１０によって取得された車両に関する情報に基づき、実際の状況に従ってリアルタイムに補正してもよい。また、制御部４０は、ステップＳ２０４において算出した運転者のＶＡＣＰ値を、運転者情報取得部２０によって取得された運転者に関する情報に基づき、運転者の状態に従ってリアルタイムに補正してもよい。制御部４０は、補正したＶＡＣＰ値が所定の閾値以下であると判定すれば、運転者の余裕度が高いと予測して、ステップＳ２０８に進む。制御部４０は、補正したＶＡＣＰ値が所定の閾値よりも大きいと判定すれば、運転者の余裕度が低いと予測して、ステップＳ２０６に戻る。
【００７８】
制御部４０は、現時点における車両の周囲の安全性が高いか否かを判定する（ステップＳ２０８）。すなわち、制御部４０は、現時点における車両の周囲の安全性に基づいて、表示部５０を介して運転者に情報提供可能であるか否かを判定する。上述したとおり、制御部４０は、車両情報取得部１０によって取得された車両に関する情報及び運転者情報取得部２０によって取得された運転者に関する情報と、安全予測モデルとに基づいて、車両の周囲の安全性を予測する。当該ステップにおいて、制御部４０は、１つ以上の演算するタスクを実行し、全てのタスクにおいて安全であると判定した場合にのみ、情報提供可能であると判定する。例えば、制御部４０は、前方車両との関係、交差道路の状況及び周辺歩行者との関係をタスクに関連付けて、それぞれの安全性に関する判定を行う。この場合、制御部４０は、前方車両との関係が安全であり、かつ、交差道路の状況が安全であり、かつ、周辺歩行者との関係が安全である場合にのみ、安全性が高いと予測して、ステップＳ２０９に進む。それ以外の場合、制御部４０は、車両の周囲の安全性が低いと予測して、ステップＳ２０６に戻る。
【００７９】
制御部４０は、余裕度及び安全性が共に高いと予測した場合、表示部５０を介して運転者に情報提供可能であると識別する（ステップＳ２０９）。
【００８０】
以上のような情報制御装置１は、車両の周囲の安全性及び運転者の運転に対する余裕度に基づいて、表示制御を最適化できる。すなわち、情報制御装置１は、車両の周辺環境の安全性及び運転者の余裕度に基づき、必要に応じて表示情報の表示位置及び情報量の少なくとも一方を変更することで、視認時間を最適化した状態で情報を表示できる。例えば、情報制御装置１は、従来と異なり、運転者が運転中に余裕があり表示情報の表示に問題がないと感じていたような場合であっても、安全に情報を提供できる。また、運転者は、これまで車両とは連動せずに受信し、通知されていたような表示情報であっても、車両と連動して安全なタイミングで取得できる。
【００８１】
情報制御装置１は、運転者の操作に関する情報及び運転者の操作意図に関する情報に基づいて安全性及び余裕度を予測することで、運転者個人に合わせた精度の高い表示制御を行うことができる。例えば、情報制御装置１は、運転者の運転に対する熟練度に合わせて、最適な状態で情報を表示できる。情報制御装置１は、その他の運転者の状態に関する情報に基づいて安全性及び余裕度を予測することで、同様に、運転者個人に合わせた精度の高い表示制御を行うことができる。例えば、情報制御装置１は、運転者のその日の体調に合わせて、最適な状態で情報を表示できる。
【００８２】
情報制御装置１は、余裕度の予測にあたってＶＡＣＰを用いることで、客観的及び定量的に運転者の運転に対する余裕度を評価できる。これにより、情報制御装置１は、より精度良く表示制御を行うことができ、最適な状態で情報を表示できる。また、情報制御装置１は、車両及び運転者に関する情報に基づき、運転者のＶＡＣＰ値をリアルタイムに補正することで、さらに精度良く表示制御を行うことができる。すなわち、情報制御装置１は、現時点での車両環境及び運転者状態に合わせた最適な状態で情報を表示できる。
【００８３】
情報制御装置１は、表示情報の種類に基づいて表示位置を定めることで、表示情報の制御を容易にする。特に、情報制御装置１は、緊急性と重大性とに鑑みて予め表示位置を定めて表示情報を表示することで、表示情報の緊急性及び重大性に関する運転者の認識を高めることができる。
【００８４】
情報制御装置１は、所定の発信者毎に表示位置を変更することで、運転者による表示情報の発信者の特定を容易にする。例えば、運転者は、表示位置に応じて、メールの発信者をある程度予測することができる。
【００８５】
情報制御装置１は、表示情報の情報量に基づいて表示位置を制御することで、運転中の運転者に対して、情報認識の負担を軽減できる。例えば、運転中の視界に重畳するＨＵＤ５１に対して情報量の少ない表示情報を表示することで、運転者は、運転に対する集中度をそれほど低下させることなく、依然として運転に集中できる。例えば、表示画面が比較的大きいセンター表示器５３に情報量の多い表示情報を表示することで、運転者は、情報の全体像を容易に把握できる。
【００８６】
情報制御装置１は、チャンク数により情報量を定義することで、より客観的に表示情報の情報量を計測できる。これにより、情報制御装置１は、より正確に表示情報を行列に振り分けることができる。
【００８７】
情報制御装置１は、予測表示可能時間に基づいて、表示情報の表示位置及び情報量の少なくとも一方を制御することで、車両の周辺環境の安全性を考慮した最適な態様により表示情報を表示できる。すなわち、情報制御装置１は、運転に対する安全性を担保したまま、表示情報を表示できる。
【００８８】
情報制御装置１は、表示情報の要約及び抽出の少なくとも一方により情報量を削減することで、特に必要な情報のみを取り出すことができる。これにより、運転者は、表示情報の要点のみを的確に把握することができる。すなわち、運転者は、必要な情報の概要を安全なタイミングで取得できる。
【００８９】
情報制御装置１は、表示部５０の種類又は位置に基づいて情報量に制限を設けることで、表示部５０毎に適切に表示情報を表示できる。これにより、情報制御装置１は、表示部５０を視認する際の運転者の情報認識を容易にする。
【００９０】
情報制御装置１は、余裕度に基づいて表示情報を制御する場合に情報量よりも表示位置を優先して変更することで、情報量を確保した状態で、視認時間を低減できる。これにより、情報制御装置１は、運転者の視認負担が少ない状態で表示情報を漏れなく表示できる。
【００９１】
本発明を諸図面及び実施例に基づき説明してきたが、当業者であれば本開示に基づき種々の変形又は修正を行うことが容易であることに注意されたい。従って、これらの変形又は修正は本発明の範囲に含まれることに留意されたい。例えば、各手段、各ステップなどに含まれる機能などは論理的に矛盾しないように再配置可能であり、複数の手段又はステップなどを１つに組み合わせたり、或いは分割したりすることが可能である。
【符号の説明】
【００９２】
１    情報制御装置
１０  車両情報取得部
１１  周囲情報取得部
１２  自車位置取得部
２０  運転者情報取得部
３０  記憶部
４０  制御部
５０  表示部
５１  ＨＵＤ
５２  メーター表示器
５３  センター表示器
【図１】
2018195139.tif 000003
【図２】
2018195139.tif 000004
【図３】
2018195139.tif 000005
【図４】
2018195139.tif 000006
【図５】
2018195139.tif 000007
【図６】
2018195139.tif 000008
【図７】
2018195139.tif 000009
【図８（ａ）】
2018195139.tif 000010
【図８（ｂ）】
2018195139.tif 000011
【図９】
2018195139.tif 000012